(57)【要約】【課題】電源供給を遮断せず消費電力を低減でき、簡単な構造によりフィルタを小さくしてコスト及び実装スペースを低減し、回路全体を小型化する間歇受信装置を提供する。【解決手段】間歇受信により電力消費を削減する間歇受信装置であって、信号を受信する受信回路８と、この受信回路８に給電するスイッチング電源４と、受信回路８及びスイッチング電源４の間に介在してスイッチング電源４からの波形のリップル成分を低減するフィルタ６と、スイッチング電源４及び受信回路８に各々接続されて当該スイッチング電源４からフィルタ６に入力する前の電源波形ｃ１をスイッチング間隔が一定間隔で間歇受信するパルス波形とこの波形内に受信回路８で予め受信される受信期間ｅに応じてスイッチング間隔を密にして連続受信するパルス波形とを含む波形出力としフィルタ６を介して受信回路８にて同期して受信動作を行うように制御する制御回路２とを備える。【選択図】      図１
2009225303.tif 000002
【特許請求の範囲】
【請求項１】
間歇受信により電力消費を削減する間歇受信装置において、
信号を受信する受信回路と、
前記受信回路に対して給電するスイッチング電源と、
前記受信回路及びスイッチング電源の間に介在して前記スイッチング電源からの波形出力のリップル成分を低減するフィルタと、
前記スイッチング電源及び受信回路に各々接続されて、当該スイッチング電源から前記フィルタに入力する前の電源波形を、スイッチング間隔が一定間隔で間歇受信する非連続動作のパルス波形と、この波形内に前記受信回路で予め受信される受信期間に応じてスイッチング間隔を密にして連続受信する連続動作のパルス波形とを含む波形出力にするとともに、この波形出力が前記フィルタを介して前記受信回路にて同期して受信動作を行うように制御する制御回路と、を備えることを特徴とする間歇受信装置。
【請求項２】
請求項１に記載の間歇受信装置において、
前記制御回路は、前記スイッチング電源に電源制御信号を送信することで前記受信期間に応じた前記連続動作を前記非連続動作中に含む波形出力にするとともに、この波形出力が前記フィルタを介して前記受信回路にてＯＮ／ＯＦＦ信号を送信することで同期させて受信動作させることを特徴とする間歇受信装置。
【請求項３】
請求項１または２に記載の間歇受信装置において、
前記受信回路では、受信する信号がＴＳパケットにデータを乗せて放送するＤＶＢ−Ｈの信号であり、前記予め受信される受信期間が前記ＴＳパケットのデータ部（ペイロード部）を集合させて取り出したＭＰＥＧ−ＦＥＣ中のＤｅｌｔａ−ｔ領域のスケジュールであることを特徴とする間歇受信装置。
【発明の詳細な説明】
【技術分野】
【０００１】
本発明は、間歇受信装置に係り、より詳細には、間歇受信により電力消費を削減する間歇受信装置に関する。
【背景技術】
【０００２】
従来、間歇（間欠）受信装置は、受信回路において、増幅部が相当な電力消耗を伴うため、給電を選択（断続）的に非連続に行って間歇受信することで電力消費を削減する装置がよく知られている。この従来の間歇受信装置では、受信回路が信号を受信する場合、給電状態が断続すると必要な信号を受信できないため、給電を一定時間のみ連続して行いその受信終了後に解除して再び間歇受信に戻るとともに、受信回路が信号を受信できない場合、給電を一定時間遮断することで、電力消費を削減する方法が多く採用されていた（例えば、特許文献１参照。）。
【特許文献１】特開昭６３−２０２１３５号公報  このような従来の間歇受信装置において、前述した連続または非連続の給電動作について、図３〜図５を参照して説明する。図３は、従来技術の間歇受信装置の一実施形態を示す構成図である。また、図４は、図３に示した間歇受信装置による非連続時の電源信号波形を示す図である。また、図５は、図３に示した間歇受信装置による連続時の電源信号波形を示す図である。
【０００３】
図３に示すように、従来の間歇受信装置の一実施形態は、スイッチング電源１４からの出力を、フィルタ１６でリップル成分が低減された後、チューナからなる受信回路１８に供給している。この受信回路１８は、受信信号を波形整形、および前述した増幅するための最も電力消費が大きい増幅部（図示せず）を備えている。そして、受信回路１８は、制御回路１２に接続され、この制御回路１２の制御により電力消費を削減するための連続または非連続による２種類のモードを切り換えて信号受信するように形成されている。
【０００４】
このような構成からなる従来の間歇受信装置は、まず、非連続動作モードによる波形の場合、図４に示すように、スイッチング電源１４からフィルタ１６に入力する前の電源波形ｃ２が、電源のスイッチング間隔（ＯＮになる間隔）を広げ、電源の効率を上げるかわりにリップルノイズの発生を許容している。そして、この電源波形ｃ２は、フィルタ１６を介して受信回路１８にて、制御回路１２から出力されるＯＮ／ＯＦＦ信号ａに同期し、給電時間と給電遮断時間とを交互に繰り返して電力消費を抑えた受信動作を実行させる。この際、図４に示したフィルタ１６が小さい場合における電源波形の拡大図を見ると、リップルが漏れているのが観察できる。即ち、電源出力に用いるフィルタ１６は、大きな物を使用しないと、後述する連続動作モードと同等のノイズが少ない状態にならない。また、スイッチング間隔を広げて給電状態を断続させると、必要な信号を受信できなくなるため、受信回路１８が信号を受信した時のみ連続動作モードに切り換えて信号受信を実行する。
【０００５】
そして、連続動作モードによる波形の場合は、図５に示すように、フィルタ１６に入力する前のスイッチング電源１４からの電源波形ｃ３が、電源のスイッチング間隔を密にしたものであって、電源の効率（電力消費の低減率）は非連続モードよりも落ちるが、リップルノイズの発生が少ない。即ち、電源出力に用いるフィルタ１６には小さな物が使用可能である。そして、この電源波形ｃ３は、フィルタ１６を介して受信回路１８にて、制御回路１２から出力されるＯＮ／ＯＦＦ信号ａに同期させることで、受信が終了するまでの間、連続動作モードで確実に必要な信号の受信を実行させる。
【０００６】
このように、従来の間歇受信装置は、図４及び図５に示したように、受信回路１８に対する給電を通常時には断続的な非連続動作モードで行い、信号受信時には連続的な連続動作モードの給電に切り換えるとともに、受信回路１８が信号を受信できない場合に電源を一定時間遮断することで、電力消費を極力削減して省電力化を図っていた。
【発明の開示】
【発明が解決しようとする課題】
【０００７】
しかしながら、従来の間歇受信装置では、消費電力を低減するためにスイッチング電源１４を非連続モードで駆動させると、電源の動作周波数が低くなるため、電源リップルの増加で受信感度が落ちてしまい、連続モードへの切り替えができないことがある。その為、図３に示したフィルタ１６の大型化、又は図５に示した連続モードのみの動作にする必要があった。しかし、フィルタ１６の大型化はコストと実装スペースとが増大し、かつ連続モードのみの動作では消費電力の増大という不具合があった。
さらに、非連続モード（待ち受け）時に受信が一定時間なかった場合、消費電力を低減するため、受信回路１８への電源供給を遮断して発振を停止（電源停止）する方法もあるが、例えば、受信回路１８以外の他の回路ブロックにも電源を供給している装置（例えば、ＤＶＢ−Ｈ等）の場合には電源を遮断できないという不具合があった。
【０００８】
本発明は上記の点に鑑みなされたもので、その目的は、電源供給を遮断せず消費電力を低減でき、簡単な構造によりフィルタを小さくしてコスト及び実装スペースを低減し、回路全体を小型化する間歇受信装置を提供することにある。
【課題を解決するための手段】
【０００９】
本発明は上述した課題を解決するために、間歇受信により電力消費を削減する間歇受信装置であって、信号を受信する受信回路と、この受信回路に対して給電するスイッチング電源と、受信回路及びスイッチング電源の間に介在してスイッチング電源からの波形出力のリップル成分を低減するフィルタと、スイッチング電源及び受信回路に各々接続されて当該スイッチング電源からフィルタに入力する前の電源波形をスイッチング間隔が一定間隔で間歇受信する非連続動作のパルス波形とこの波形内に受信回路で予め受信される受信期間に応じてスイッチング間隔を密にして連続受信する連続動作のパルス波形とを含む波形出力にするとともに、この波形出力がフィルタを介して受信回路にて同期して受信動作を行うように制御する制御回路とを備える。
【００１０】
ここで、制御回路は、スイッチング電源に電源制御信号を送信することで受信期間に応じた連続動作を非連続動作中に含む波形出力にするとともに、この波形出力がフィルタを介して受信回路にてＯＮ／ＯＦＦ信号を送信することで同期させて受信動作させることが好ましい。また、受信回路では、受信する信号がＴＳパケットにデータを乗せて放送するＤＶＢ−Ｈの信号であり、予め受信される受信期間がＴＳパケットのデータ部を集合させて取り出したＭＰＥＧ−ＦＥＣ中のＤｅｌｔａ−ｔ領域のスケジュールであることが好ましい。
【発明の効果】
【００１１】
以上、本発明による間歇受信装置によれば、予め分かっている受信期間により非連続モード中に受信感度が必要な期間（電源が綺麗である必要の期間）である受信時のスケジュールが特定でき、この受信時のみ連続モードで動作させることができるため、非連続モードで動作周波数や受信感度が低下しても上述の受信期間のみ確実に連続モードで受信でき、非連続モードの電源リップル増加によるノイズも影響しないことから、フィルタを小さくできコスト及び実装スペースを低減し、回路全体を小型化することができる。
さらに、本発明による間歇受信装置によれば、前述したように非連続モードの電源リップル増加によるノイズが連続モードの動作に影響しないことから、非連続モードから連続モードに確実に移行されて、この非連続モードから連続モードまで電源を遮断することなく一定の電源供給を保証できるため、受信回路以外の他の回路ブッロクに電源を供給している装置でも十分に対応できる。
【発明を実施するための最良の形態】
【００１２】
次に、添付図面を参照して本発明による間歇受信装置の実施の形態を詳細に説明する。図１は、本発明による間歇受信装置の一実施形態を示す回路構成図である。また、図２は、図１に示した間歇受信装置の電源信号波形を示す図である。
【００１３】
図１に示すように、本発明による間歇受信装置の一実施形態は、図３に示した従来技術のように間歇受信により電力消費を削減する間歇受信装置であって、信号を受信する受信回路８と、この受信回路８に対して給電するスイッチング電源４と、この受信回路８及びスイッチング電源４の間に介在してスイッチング電源４から出力の電源波形ｃ１のリップル成分を低減するフィルタ６と、受信回路８に接続されて受信動作を制御する制御回路２とを各々備えている。また、本実施の形態では、図３に示した従来技術と異なり、上述した制御回路２が、受信回路８の他にスイッチング電源４にも接続され、当該スイッチング電源４からフィルタ６に入力する前の電源波形ｃ１を、スイッチング間隔が一定間隔で間歇受信する非連続動作のパルス波形と、この波形内に受信回路８で予め受信される受信期間ｅに応じてスイッチング間隔を密にして連続受信する連続動作のパルス波形とを含む波形の出力にするとともに、この出力波形ｃ１がフィルタ６を介して受信回路８にて同期して受信動作を行うように制御するように形成されている。
【００１４】
ここで、スイッチング電源４は、フィルタ６を介してチューナからなる受信回路８に向けて電源波形ｃ１を送信するように形成されている。また、フィルタ６は、スイッチング電源４から出力される電源波形ｃ１を受け、この電源波形ｃ１のリップル成分を低減した電源波形ｄを受信回路８に送信するように形成されている。
また、受信回路８は、フィルタ６から電源波形ｄを受けて受信動作を実行するとともに、この受信動作の結果、受信された信号の波形整形および増幅するための最も電力消費が大きい増幅部（図示せず）を備えている。
そして、制御回路２は、前述したスイッチング電源４と受信回路８とに接続され、このスイッチング電源４に電源制御信号ｂと、受信回路８にＯＮ／ＯＦＦ信号ａとを各々出力することで各々制御している。即ち、スイッチング電源４は、制御回路２から電源制御信号ｂを出力することで、受信期間ｅに応じた連続動作と非連続動作とを含む電源波形ｃ１を出力可能にし、フィルタ６を介して受信回路８に電源波形ｄを出力できるように制御されている。また、受信回路８は、制御回路２からＯＮ／ＯＦＦ信号ａを出力することで、スイッチング電源４から出力される前述した電源波形ｄを同期させて受信動作を実行できるように制御されている。
【００１５】
また、制御回路２は、スイッチング電源４に出力する電源制御信号ｂにおいて、図２に示した密にしたパルス波形による連続動作の連続動作時間ｔ２が、予め受信される受信期間ｅに対して開始（立ち上がり）を早く、終了（立ち下がり）を遅くして若干長く連続モードを実行するように設定している。これにより受信期間ｅに対して若干長く連続的な通電状態を維持して確実に信号を受信可能にするとともに、この受信期間ｅのみ確実に電源を連続動作させることで、小さなフィルタ６を実装してもリップルノイズを小さく抑えることが可能になるように形成している。
【００１６】
ところで、受信回路８では、例えば、受信する信号としてＴＳパケットにデータを乗せて放送するＤＶＢ−Ｈの受信信号を採用させることができ、前述した予め受信される受信期間ｅとして、ＴＳパケットのデータ部（ペイロード部）を集合させて取り出したＭＰＥＧ−ＦＥＣ中のＤｅｌｔａ−ｔ領域であるスケジュールを適用することが可能である。また、このようなＤＶＢ−Ｈを受信する放送システムでは、間歇受信における電源ＯＮからＯＮまでの１周期が１秒から５秒であって、電源ＯＮ／ＯＦＦ比（デューティ比）が１０：１程度なので、結構な電力の節約が可能となる。
【００１７】
次に、このように形成された本発明による間歇受信装置の一実施形態を用いた動作について、図１及び２を参照して詳細に説明する。まず、受信回路８は、例えば、ＤＶＢ−Ｈのような信号を受信する場合、ＴＳパケットのデータ部を集合させて取り出したＭＰＥＧ−ＦＥＣ中のＤｅｌｔａ−ｔ領域のスケジュールである受信期間ｅを、図１に示したように予め放送を通じて受信し、制御回路２に送信する。そして、制御回路２では、受信期間ｅを参考にして次回のＯＮ時刻を決定するとともに、これに応じた電源制御信号ｂとＯＮ／ＯＦＦ信号ａとを設定して、前述したＤＶＢ−Ｈなどの信号受信時に、スイッイング電源４及び受信回路８に各々出力する。具体的に、例えば、前述したＤＶＢ−Ｈの場合は、放送を一度、全時間受信して、そこから受信のためのパラメーター（受信期間ｅによる電源制御信号ｂ及びＯＮ／ＯＦＦ信号ａ）を抽出して、それ以降、受信を開始しているため、本実施の形態として十分対応させることができる。
【００１８】
ここで、電源制御信号ｂは、図２に示すように、非連続動作時間ｔ１において“Ｌｏ”であり、図１に示したスイッチング電源４から受信回路８に間歇的な電源波形（一定のスイッチ間隔をあけたパルス波形）を出力できるように制御している。また、連続動作時間ｔ２においては“Ｈｉ”で出力され、スイッチング電源４から受信回路８に連続的な通電状態の電源波形（密にしたパルス波形）を出力するように制御される。即ち、電源制御信号ｂは、受信回路８で予め受信された受信期間ｅに基づいて信号“Ｈｉ”の連続動作時間ｔ２が決定され、その他の受信期間ｅ以外の全ての時間に信号“Ｌｏ”の非連続動作時間ｔ１を各々対応させる。
【００１９】
そして、この電源制御信号ｂは、スイッチング電源４に供給されることで、図２に示した一定間隔のパルス波形と密にしたパルス波形とを含む電源波形ｃ１として生成され、フィルタ６に出力するように制御される。このフィルタ６では、図２示したように、電源波形ｃ１を受けてリップル成分を低減させた電源波形ｄとして生成し、チューナからなる受信回路８に出力させる。また、受信回路８では、電源波形ｄにより連続受信する以外は間歇受信しているため、デューティ比（受信時間／電源投入時間）が１より小さくなる。
そして、受信回路８では、受信時間ｅに合わせて電源波形ｄの密にしたパルス波形により連続動作状態になるように、制御回路２からＯＮ／ＯＦＦ信号ａを出力し、これを受けることで受信時間ｅに連続受信が実行され、それ以外は、前述した非連続動作を実行するように制御される。従って、本実施形態では、受信回路８の動作のＯＮ／ＯＦＦに同期して、電源の連続動作／非連続動作を一度の波形出力で制御できるように形成されている。具体的に、例えばＤＶＢ−Ｈの信号受信の場合、受信中に連続または非連続の判定はできず、「受信できなくなったら電源をＯＦＦにする」こともできないため、前もって決められたスケジュール（受信期間ｅ）による連続受信と間歇受信とを含んだ電源波形ｄを生成して前述した受信回路８のＯＮ／ＯＦＦ動作に同期させることで、決められたスケジュール通り動作させている。
【００２０】
このように、本発明による間歇受信装置の一実施形態によると、予め分かっている受信期間ｅにより非連続モード中に受信感度が必要な期間（電源が綺麗である必要の期間）である受信時のスケジュールが特定でき、この受信時のみ連続モードで動作させることができるため、非連続モードで受信感度が低下しても上述の受信期間ｅのみ確実に連続モードで受信でき、非連続モードの電源リップル増加によるノイズも影響しないことから、フィルタ６を小さくできコスト及び実装スペースを低減し、回路全体を小型化することができる。
さらに、本発明による間歇受信装置の一実施形態によると、前述したように非連続モードの電源リップル増加によるノイズが連続モードの動作に影響しないことから、非連続モードから連続モードに確実に移行されて、この非連続モードから連続モードまで電源を遮断することなく一定の電源供給を保証できるため、受信回路２以外の他の回路ブッロクに電源を供給している装置でも十分に対応できる。
【００２１】
以上、本発明による間歇受信装置の実施の形態を詳細に説明したが、本発明は前述した実施の形態に限定されるものではなく、その要旨を逸脱しない範囲で変更可能である。
例えば、ＤＶＢ−Ｈの信号受信に採用した実施の形態を詳細に説明したが、これに限定されるものではなく、欧州のＤＶＢ−Ｔ、日本のＩＳＤＢ−Ｔ、米国や韓国のＡＴＳＣなどの各国で異なる種々の地上デジタル放送方式にも各々適用することが可能である。
【図面の簡単な説明】
【００２２】
【図１】本発明による間歇受信装置の一実施形態を示す回路構成図。
【図２】図１に示した間歇受信装置の電源信号波形を示す図。
【図３】従来の間歇受信装置の一実施形態を示す構成図。
【図４】図３に示した間歇受信装置による非連続時の電源信号波形を示す図
【図５】図３に示した間歇受信装置による連続時の電源信号波形を示す図
【符号の説明】
【００２３】
２    制御回路
４    スイッチング回路
６    フィルタ
８    受信回路
【図１】
2009225303.tif 000003
【図２】
2009225303.tif 000004
【図３】
2009225303.tif 000005
【図４】
2009225303.tif 000006
【図５】
2009225303.tif 000007